(57)【特許請求の範囲】
【請求項１】
底部、左右横側部、前部及び後部が壁状体にて囲まれ且つ上部に熱気導入用開口が形成された焙焼室と、
調理物を載置するように前記焙焼室の内部に設けられた調理物載置体と、
前記焙焼室の横外側部に上下方向に向かう状態で形成され且つ前記熱気導入用開口に連通する側部熱気通路と、
上方に向けて火炎を吹き出して燃焼することにより上方に向かう熱気を前記側部熱気通路に供給する状態で、前記側部熱気通路の下部に設けられる上部加熱用バーナと、
前記焙焼室の横外側部から前記調理物載置体の下方に向けて水平方向に沿う火炎を吹き出して燃焼する下部加熱用バーナと、
前記焙焼室に供給された熱気を排気するように前記焙焼室の後部に形成された排気口と、を備えるガスグリルであって、
前記調理物載置体が、前記焙焼室の内部を上下に仕切る通気不能な板状体として構成され、
前記焙焼室の前部を形成する壁状体としての扉の後面と前記調理物載置体の前縁部とが、上下方向の通気を規制した状態に接続されているガスグリル。
【請求項２】
前記焙焼室の左右横側部の夫々に、当該焙焼室の内方に向けて突出する突出部が、前後方向に延びる形態で設けられ、
前記調理物載置体が、左右の端部を前記突出部に密着させる形態で、前記突出部に載置されている請求項１記載のガスグリル。
【請求項３】
前記調理物載置体が、後端縁部を前記焙焼室の後部を形成する壁状体に接当させる形態で配置されている請求項１又は２記載のガスグリル。
【請求項４】
前記調理物載置体の周縁に、上方に立ち上がる堰部が形成されている請求項１〜３のいずれか１項に記載のガスグリル。
【請求項５】
前記下部加熱用バーナが、前記焙焼室の左右の横外側部のうちの一方側に設けられ、
前記焙焼室の左右両横側部のうちの、前記下部加熱用バーナが配置される側とは反対側の横側部に、前記下部加熱用バーナの火炎による熱気を前記上部加熱用バーナの設置箇所に流動させる熱気流入孔が形成されている請求項１〜４のいずれか１項に記載のガスグリル。
【請求項６】
底部、左右横側部、前部及び後部が壁状体にて囲まれ且つ上部に熱気導入用開口が形成された焙焼室と、
調理物を載置するように前記焙焼室の内部に設けられた調理物載置体と、
前記焙焼室の横外側部に上下方向に向かう状態で形成され且つ前記熱気導入用開口に連通する側部熱気通路と、
上方に向けて火炎を吹き出して燃焼することにより上方に向かう熱気を前記側部熱気通路に供給する状態で、前記側部熱気通路の下部に設けられる上部加熱用バーナと、
前記焙焼室の横外側部から前記調理物載置体の下方に向けて水平方向に沿う火炎を吹き出して燃焼する下部加熱用バーナと、
前記焙焼室に供給された熱気を排気するように前記焙焼室の後部に形成された排気口と、を備えるガスグリルであって、
前記調理物載置体が、前記焙焼室の内部を上下に仕切る通気不能な板状体として構成され、
前記下部加熱用バーナが、前記焙焼室の左右の横外側部のうちの一方側に設けられ、
前記焙焼室の左右両横側部のうちの、前記下部加熱用バーナが配置される側とは反対側の横側部に、前記下部加熱用バーナの火炎による熱気を前記上部加熱用バーナの設置箇所に流動させる熱気流入孔が形成されているガスグリル。
【請求項７】
前記側部熱気通路が、前記焙焼室の左右両横側部のうちの、前記下部加熱用バーナが配置される側とは反対側の横側部の外方側箇所に設けられ、
前記焙焼室の上部に、当該焙焼室の横幅方向に沿う上部熱気通路が前記側部熱気通路の上端と連通しかつ前記焙焼室の内部とは区画される形態で設けられ、
前記熱気導入用開口が、前記焙焼室の上部における前記下部加熱用バーナが配置される側の横一側箇所に、前記上部熱気通路と連通する形態で形成されている請求項５又は６記載のガスグリル。 
【発明の詳細な説明】
【技術分野】
【０００１】
本発明は、底部、左右横側部、前部及び後部が壁状体にて囲まれ且つ上部に熱気導入用開口が形成された焙焼室と、
調理物を載置するように前記焙焼室の内部に設けられた調理物載置体と、
前記焙焼室の横外側部に上下方向に向かう状態で形成され且つ前記熱気導入用開口に連通する側部熱気通路と、
上方に向けて火炎を吹き出して燃焼することにより上方に向かう熱気を前記側部熱気通路に供給する状態で、前記側部熱気通路の下部に設けられる上部加熱用バーナと、
前記焙焼室の横外側部から前記調理物載置体の下方に向けて水平方向に沿う火炎を吹き出して燃焼する下部加熱用バーナと、
前記焙焼室に供給された熱気を排気するように前記焙焼室の後部に形成された排気口と、を備えるガスグリルに関する。
【背景技術】
【０００２】
かかるガスグリルは、上部加熱用バーナと下部加熱用バーナとが焙焼室の外部に配置されるものであるから、魚類等の調理物から飛翔する油分等が、上部加熱用バーナや下部加熱用バーナに付着することが抑制されるため、上部加熱用バーナや下部加熱用バーナが汚れ難いので、清掃頻度が低下して、使い勝手が良いものである。
【０００３】
このようなガスグリルの従来例として、調理物載置体が、網状体にて構成されたものがある（例えば、特許文献１参照）。
つまり、調理物載置体が、通気可能な焼き網として構成されている。そして、調理物載置体の下方に、調理物載置体から落下する焼き汁を受止める受け皿が設けられている。
【０００４】
ちなみに、特許文献１においては、排気口が、焙焼室の後部における調理物載置体よりも下方側に相当する箇所に形成されている。
したがって、下部加熱用バーナによる熱気が調理物載置体の下方側の空間を通して排気口に流動し、また、熱気導入用開口から焙焼室における調理物載置体の上方側の空間に流動する上部加熱用バーナによる熱気が、調理物載置体における調理物が載置されていない後方側箇所等、調理物載置体における調理物が載置されていない箇所を通過して調理物載置体の下方側の空間に流動し、その後、調理物載置体の下方側の空間を通して排気口に流動するように構成されている。
【先行技術文献】
【特許文献】
【０００５】
【特許文献１】特開２０００−２４５６２４号公報
【発明の概要】
【発明が解決しようとする課題】
【０００６】
従来のガスグリルにおいては、調理物載置体が、通気可能に構成されているため、焙焼室における調理物載置体の上方側の空間に流動する上部加熱用バーナによる熱気や下部加熱用バーナから供給される熱気が、調理物載置体における調理物が載置されていない箇所を通して流動することにより、焙焼室内においてお互いに干渉して、調理物載置体の下面側や上面側を適切に加熱しながら調理物を良好に加熱し難い虞があった。
【０００７】
すなわち、上記特許文献１のガスグリルにおいては、焙焼室における調理物載置体の上方側の空間に流動する上部加熱用バーナによる熱気が、調理物載置体を通過して調理物載置体の下方側の空間に流動する傾向となるものであるため、上部加熱用バーナから供給される熱気と下部加熱用バーナから供給される熱気とが焙焼室内における調理物載置体の下方側の空間においてお互いに干渉して、調理物載置体の下面側及び上面側を適切に加熱し難い虞があった。
【０００８】
説明を加えると、上部加熱用バーナによる熱気が調理物載置体の下方側の空間に流動すると、下部加熱用バーナの熱気の流動が、調理物載置体の下方側の空間に流動した熱気の流動によって、調理物載置体の下面を適切に加熱するための流動状態から外れた流動状態になって、調理物載置体の下面側を適切に加熱することができなくなり、調理物の下面側を良好に加熱できなくなる虞がある。
【０００９】
また、焙焼室における調理物載置体の上方側の空間に流動する上部加熱用バーナによる熱気が、調理物載置体における調理物が載置されていない箇所を通して、調理物載置体の下方側の空間に流動するということは、上部加熱用バーナによる熱気が調理物載置体の上面を適切に加熱することなく、調理物載置体の下方側の空間に短絡流動する状態となるものであるから、調理物載置体に載置された調理物の上面側を良好に加熱できなくなる虞がある。
【００１０】
ちなみに、排気口を、焙焼室の後部における調理物載置体の上方側に相当する箇所に形成して、上部加熱用バーナによる熱気が調理物載置体の下方側の空間に流動することを抑制することが考えられる。
しかしながら、この場合、下部加熱用バーナによる熱気が、調理物載置体における調理物が載置されていない箇所を通して、調理物載置体の上方側の空間に流動し易くなることに起因して、調理物載置体の下面を適切に加熱することができなくなり、調理物の下面側を良好に加熱できなくなる虞や、調理物載置体の上方側の空間に流動した下部加熱用バーナの熱気のために、上部加熱用バーナによる熱気が調理物載置体の上面を適切に加熱する流動状態から外れた流動状態となり、調理物載置体の上面側を良好に加熱できなくなる虞がある。
【００１１】
また、排気口を、焙焼室の後部における調理物載置体の下方側と上方側とに亘る状態に形成することが考えられるが、この場合においても、調理物載置体に載置される調理物の載置状態等の諸々の状況によって、上部加熱用バーナによる熱気が調理物載置体の下方側の空間に流動することや、下部加熱用バーナによる熱気が調理物載置体の上方側の空間に流動することを適切に抑制することができず、調理物載置体に載置している調理物を適切に加熱し難い虞があった。
【００１２】
本発明は、上記実状に鑑みて為されたものであって、その目的は、上部加熱用バーナの熱気と下部加熱用バーナの熱気とにより、調理物載置体の上面側及び下面側を適切に加熱することができるガスグリルを提供する点にある。
【課題を解決するための手段】
【００１３】
本発明のガスグリルは、底部、左右横側部、前部及び後部が壁状体にて囲まれ且つ上部に熱気導入用開口が形成された焙焼室と、
調理物を載置するように前記焙焼室の内部に設けられた調理物載置体と、
前記焙焼室の横外側部に上下方向に向かう状態で形成され且つ前記熱気導入用開口に連通する側部熱気通路と、
上方に向けて火炎を吹き出して燃焼することにより上方に向かう熱気を前記側部熱気通路に供給する状態で、前記側部熱気通路の下部に設けられる上部加熱用バーナと、
前記焙焼室の横外側部から前記調理物載置体の下方に向けて水平方向に沿う火炎を吹き出して燃焼する下部加熱用バーナと、
前記焙焼室に供給された熱気を排気するように前記焙焼室の後部に形成された排気口と、を備えるものであって、その特徴構成は、
前記調理物載置体が、前記焙焼室の内部を上下に仕切る通気不能な板状体として構成され、
前記焙焼室の前部を形成する壁状体としての扉の後面と前記調理物載置体の前縁部とが、上下方向の通気を規制した状態に接続されている点にある。 
【００１４】
すなわち、焙焼室の内部が、通気不能に構成された調理物載置体によって、調理物載置体の上方側の空間と調理物載置体の下方側の空間とに仕切られることになるから、調理物載置体の上方側の空間に供給された上部加熱用バーナによる熱気が調理物載置体の下方側の空間に流動することや、調理物載置体の下方側の空間に供給された下部加熱用バーナによる熱気が調理物載置体の上方側の空間に流動することを適切に抑制することができる。
【００１５】
したがって、上部加熱用バーナから供給される熱気と下部加熱用バーナから供給される熱気とが焙焼室内においてお互いに干渉することが抑制されるため、調理物載置体の上方側の空間に供給された上部加熱用バーナによる熱気を、調理物載置体に載置された調理物を加熱するのに適した流動状態で適切に流動させ、かつ、調理物載置体の下方側の空間に供給された下部加熱用バーナによる熱気を、調理物載置体の下面を加熱するのに適した流動状態で適切に流動させるようにしながら、調理物載置体の上面側及び下面側を適切に加熱することができる。
【００１６】
要するに、本発明のガスグリルの特徴構成によれば、上部加熱用バーナの熱気と下部加熱用バーナの熱気とにより、調理物載置体の上面側及び下面側を適切に加熱することができる。
また、調理物載置体の前縁部と焙焼室の前部を形成する壁状体としての扉の後面とを、上下方向の通気を規制した状態に接続させて、調理物載置体の前縁部と扉との間を封止することができるから、調理物載置体の上方側空間の熱気が調理物載置体の下方側空間に流動することや調理物載置体の下方側空間の熱気が調理物載置体の上方側空間に流動することを一層適切に抑制できる。
このように、調理物載置体の前縁部と扉との間を通して、調理物載置体の上方側空間の熱気が調理物載置体の下方側空間に流動することや調理物載置体の下方側空間の熱気が調理物載置体の上方側空間に流動することを抑制できるから、上部加熱用バーナから供給される熱気と下部加熱用バーナから供給される熱気とが焙焼室内において互いに干渉することを一層適切に抑制して、調理物載置体の上面側及び下面側を一層適切に加熱することができる。
要するに、本発明のガスグリルの特徴構成によれば、調理物載置体の前縁部と焙焼室の前部を形成する扉との間を適切に封止して、調理物載置体の上面側及び下面側を一層適切に加熱することができる。
【００１７】
本発明のガスグリルの更なる特徴構成は、前記焙焼室の左右両横側部の夫々に、当該焙焼室の内方に向けて突出する突出部が、前後方向に延びる形態で設けられ、
前記調理物載置体が、左右の端部を前記突出部に密着させる形態で、前記突出部に載置されている点にある。
【００１８】
すなわち、調理物載置体が、左右の端部を焙焼室の左右両横側部の夫々に設けた突出部に密着させる形態で、突出部に載置されているから、調理物載置体の左右の端部と焙焼室の左右両横側部との間を、調理物載置体の上方側空間の熱気が調理物載置体の下方側空間に流動することや、調理物載置体の下方側空間の熱気が調理物載置体の上方側空間に流動することがないように封止することができる。
【００１９】
つまり、調理物載置体の左右の端部を焙焼室の左右両側部の夫々に設けた突出部に載置するという簡単な構成で、調理物載置体の左右の端部と焙焼室の左右両横側部との間を、調理物載置体の上方側空間の熱気が調理物載置体の下方側空間に流動することや、調理物載置体の下方側空間の熱気が調理物載置体の上方側空間に流動することがないように封止することができる。
【００２０】
したがって、調理物載置体の左右の端部と焙焼室の左右両横側部との間を通して、調理物載置体の上方側空間の熱気が調理物載置体の下方側空間に流動することや調理物載置体の下方側空間の熱気が調理物載置体の上方側空間に流動することを抑制できるから、上部加熱用バーナから供給される熱気と下部加熱用バーナから供給される熱気とが焙焼室内において互いに干渉することを一層適切に抑制して、調理物載置体の上面側及び下面側を一層適切に加熱することができる。
【００２１】
要するに、本発明のガスグリルの更なる特徴構成によれば、調理物載置体の左右の端部と焙焼室の左右両横側部との間を、簡単な構成で封止して、調理物載置体の上面側及び下面側を一層適切に加熱することができる。
【００２２】
本発明のガスグリルの更なる特徴構成によれば、前記調理物載置体が、後端縁部を前記焙焼室の後部を形成する壁状体に接当させる形態で配置されている点にある。
【００２３】
すなわち、調理物載置体の後端縁部が焙焼室の後部を形成する壁状体に接当させて、
調理物載置体の後端縁部と焙焼室の後部を形成する壁状体との間を封止することができるから、調理物載置体の上方側空間の熱気が調理物載置体の下方側空間に流動することや調理物載置体の下方側空間の熱気が調理物載置体の上方側空間に流動することを一層適切に抑制できる。
【００２４】
このように、調理物載置体の後端縁部と焙焼室の後部を形成する壁状体との間を通して、調理物載置体の上方側空間の熱気が調理物載置体の下方側空間に流動することや調理物載置体の下方側空間の熱気が調理物載置体の上方側空間に流動することを抑制できるから、上部加熱用バーナから供給される熱気と下部加熱用バーナから供給される熱気とが焙焼室内において互いに干渉することを一層適切に抑制して、調理物載置体の上面側及び下面側を一層適切に加熱することができる。
【００２５】
要するに、本発明のガスグリルの更なる特徴構成によれば、調理物載置体の後端縁部と焙焼室の後部を形成する壁状体との間を適切に封止して、調理物載置体の上面側及び下面側を一層適切に加熱することができる。
【００３０】
本発明のガスグリルの更なる特徴構成は、前記調理物載置体の周縁に、上方に立ち上がる堰部が形成されている点にある。
【００３１】
すなわち、調理物体の周縁に堰部が形成されているから、調理物載置体に載置された調理物から焼き汁が出ても、その焼き汁が外部に流動しないように堰部にて受止めることができるものとなる。
【００３２】
したがって、調理物載置体の下方に、調理物載置体から落下する焼き汁を受止める受け皿を設ける必要がなくなるため、焙焼室の底部が汚損することを回避しながらも、構成の一層の簡素化を図ることができる。
【００３３】
要するに、本発明のガスグリルの更なる特徴構成によれば、焙焼室の底部が汚損することを回避しながらも、構成の一層の簡素化を図ることができる。
【００３４】
本発明のガスグリルの更なる特徴構成は、前記下部加熱用バーナが、前記焙焼室の左右の横外側部のうちの一方側に設けられ、
前記焙焼室の左右両横側部のうちの、前記下部加熱用バーナが配置される側とは反対側の横側部に、前記下部加熱用バーナの火炎による熱気を前記上部加熱用バーナの設置箇所に流動させる熱気流入孔が形成されている点にある。
【００３５】
すなわち、側部熱気通路が、上部加熱用バーナの熱気が流動することによる加熱や上部加熱用バーナの火炎による加熱によって温度上昇することになるから、側部熱気通路を流動する熱気のドラフト力にて、上部加熱用バーナの設置箇所が負圧になるため、焙焼室の左右の横外側部のうちの一方側に設けられた下部加熱用バーナの火炎による熱気が、熱気流入孔を通して、上部加熱用バーナの設置箇所に流動することになる。
【００３６】
その結果、下部加熱用バーナの火炎が、熱気流入孔に向かって伸びるように形成されるものとなるため、下部加熱用バーナの火炎の熱気により、調理物載置体の横幅方向の全体を良好に加熱し易いものとなり、調理物の下面に焼きムラが発生することを抑制できる。
つまり、単一の下部加熱用バーナを設けるようにしながらも、調理物の下面に焼きムラが発生することを抑制して、良好な加熱調理を行うことができる。
【００３７】
要するに、本発明のガスグリルの更なる特徴構成によれば、調理物の下面に焼きムラが発生することを抑制して、良好な加熱調理を行うことができる。
本発明のグリルは、底部、左右横側部、前部及び後部が壁状体にて囲まれ且つ上部に熱気導入用開口が形成された焙焼室と、
調理物を載置するように前記焙焼室の内部に設けられた調理物載置体と、
前記焙焼室の横外側部に上下方向に向かう状態で形成され且つ前記熱気導入用開口に連通する側部熱気通路と、
上方に向けて火炎を吹き出して燃焼することにより上方に向かう熱気を前記側部熱気通路に供給する状態で、前記側部熱気通路の下部に設けられる上部加熱用バーナと、
前記焙焼室の横外側部から前記調理物載置体の下方に向けて水平方向に沿う火炎を吹き出して燃焼する下部加熱用バーナと、
前記焙焼室に供給された熱気を排気するように前記焙焼室の後部に形成された排気口と、を備えるものであって、その特徴構成は、
前記調理物載置体が、前記焙焼室の内部を上下に仕切る通気不能な板状体として構成され、
前記下部加熱用バーナが、前記焙焼室の左右の横外側部のうちの一方側に設けられ、
前記焙焼室の左右両横側部のうちの、前記下部加熱用バーナが配置される側とは反対側の横側部に、前記下部加熱用バーナの火炎による熱気を前記上部加熱用バーナの設置箇所に流動させる熱気流入孔が形成されている点にある。
すなわち、焙焼室の内部が、通気不能に構成された調理物載置体によって、調理物載置体の上方側の空間と調理物載置体の下方側の空間とに仕切られることになるから、調理物載置体の上方側の空間に供給された上部加熱用バーナによる熱気が調理物載置体の下方側の空間に流動することや、調理物載置体の下方側の空間に供給された下部加熱用バーナによる熱気が調理物載置体の上方側の空間に流動することを適切に抑制することができる。
したがって、上部加熱用バーナから供給される熱気と下部加熱用バーナから供給される熱気とが焙焼室内においてお互いに干渉することが抑制されるため、調理物載置体の上方側の空間に供給された上部加熱用バーナによる熱気を、調理物載置体に載置された調理物を加熱するのに適した流動状態で適切に流動させ、かつ、調理物載置体の下方側の空間に供給された下部加熱用バーナによる熱気を、調理物載置体の下面を加熱するのに適した流動状態で適切に流動させるようにしながら、調理物載置体の上面側及び下面側を適切に加熱することができる。
要するに、本発明のガスグリルの特徴構成によれば、上部加熱用バーナの熱気と下部加熱用バーナの熱気とにより、調理物載置体の上面側及び下面側を適切に加熱することができる。
また、側部熱気通路が、上部加熱用バーナの熱気が流動することによる加熱や上部加熱用バーナの火炎による加熱によって温度上昇することになるから、側部熱気通路を流動する熱気のドラフト力にて、上部加熱用バーナの設置箇所が負圧になるため、焙焼室の左右の横外側部のうちの一方側に設けられた下部加熱用バーナの火炎による熱気が、熱気流入孔を通して、上部加熱用バーナの設置箇所に流動することになる。
その結果、下部加熱用バーナの火炎が、熱気流入孔に向かって伸びるように形成されるものとなるため、下部加熱用バーナの火炎の熱気により、調理物載置体の横幅方向の全体を良好に加熱し易いものとなり、調理物の下面に焼きムラが発生することを抑制できる。
つまり、単一の下部加熱用バーナを設けるようにしながらも、調理物の下面に焼きムラが発生することを抑制して、良好な加熱調理を行うことができる。
要するに、本発明のガスグリルの特徴構成によれば、調理物の下面に焼きムラが発生することを抑制して、良好な加熱調理を行うことができる。
【００３８】
本発明のガスグリルの更なる特徴構成は、前記側部熱気通路が、前記焙焼室の左右両横側部のうちの、前記下部加熱用バーナが配置される側とは反対側の横側部の外方側箇所に設けられ、
前記焙焼室の上部に、当該焙焼室の横幅方向に沿う上部熱気通路が前記側部熱気通路の上端と連通しかつ前記焙焼室の内部とは区画される形態で設けられ、
前記熱気導入用開口が、前記焙焼室の上部における前記下部加熱用バーナが配置される側の横一側箇所に、前記上部熱気通路と連通する形態で形成されている点にある。
【００３９】
すなわち、焙焼室の左右両横側部のうちの、下部加熱用バーナが配置される側とは反対側の横側部の外方側箇所に位置させる形態で、単一の側部熱気通路が設けられ、その側部熱気通路を流動する熱気が、焙焼室の上部に設けた上部熱気通路を通して、焙焼室の上部における下部加熱用バーナが配置される側の横一側箇所に流動し、その横一側箇所に形成された熱気導入用開口から焙焼室の内部に流動されることになる。
【００４０】
従って、単一の側部熱気通路を備えるものであるから、単一の上部加熱用バーナを備えるものとなるため、構成の一層の簡素化を図ることができる。
ちなみに、上部加熱用バーナの設置数が減少すれば、上部加熱用バーナに対して設置する点火器や着火検出部等の付帯設備も減少するため、上部加熱用バーナの設置数が減少することは、構成の簡素化を図る上では有効である。
【００４１】
また、単一の側部熱気通路を備えるものであるが、上部熱気通路を備え、しかも、熱気導入用開口が、焙焼室の横幅方向において側部熱気通路が位置する側とは反対側となる下部加熱用バーナが配置される側の横一側箇所に形成されるから、焙焼室の内部における調理物載置体の上方側空間の温度分布の均一化を進めて、調理物載置体の上面側を良好に加熱し易いものとなる。
【００４２】
つまり、焙焼室の内部における調理物載置体の上方側空間は、側部熱気通路を熱気が流動することによる輻射熱、上部熱気通路を熱気が流動することによる輻射熱、及び、熱気導入用開口より供給される熱気にて加熱されることになるが、焙焼室の横幅方向において側部熱気通路が位置する側とは反対側に熱気導入用開口が位置するものであるから、側部熱気通路を熱気が流動することによる輻射熱と、熱気導入用開口より供給される熱気とによって、焙焼室の内部における調理物載置体の上方側空間を、横幅方向での熱バランスが良い状態で加熱できる。
【００４３】
説明を加えると、上部熱気通路を備えさせずに、熱気導入用開口が、焙焼室の横幅方向において側部熱気通路が位置する側の横一側箇所に形成されると、側部熱気通路を熱気が流動することによる輻射熱と、熱気導入用開口より供給される熱気とによって、調理物載置体の上方側空間における側部熱気通路が位置する側が反対側よりも加熱され易くなり、調理物載置体の上方側空間における横幅方向での熱バランスが悪くなり、調理物載置体の上面側を良好に加熱し難いものとなる。
【００４４】
要するに、本発明のガスグリルの更なる特徴構成によれば、単一の上部加熱用バーナを備えさせることにより、構成の一層の簡素化を図ることができるようにしながらも、調理物載置体の上面側を良好に加熱できる。
【図面の簡単な説明】
【００４５】
【図１】ガスコンロの斜視図
【図２】ガスグリルの側面図
【図３】ガスグリルの切欠側面図
【図４】扉を外したガスグリルの斜視図
【図５】扉を外したガスグリルの正面図
【図６】図２のＶＩ−ＶＩ線矢視図
【図７】扉を外したガスグリルの透視投影による正面図
【図８】扉を外したガスグリルの透視投影による切欠正面図
【発明を実施するための形態】
【００４６】
〔第１実施形態〕
以下、本発明の実施形態を図面に基づいて説明する。
【００４７】
（ガスコンロの全体構成）
図１に示すように、ガスコンロ本体Ｈの上面部に、３つのコンロバーナ１を備え、ガスコンロ本体Ｈの内部に、ガスグリルバーナ２（図７参照）を備えたガスグリルＧを装備したビルトインタイプのガスコンロが構成されている。
ガスグリルＧの燃焼排ガスを排気するためのグリル排気口４が、ガスコンロの上面を覆うトッププレート５の後方側箇所に形成されている。
【００４８】
３つのコンロバーナ１は、標準バーナ１ａ、小バーナ１ｂ、及び、高火力バーナ１ｃであり、トッププレート５の上部には、鍋等を受け止め支持するための五徳６が３つのコンロバーナ１の夫々に対応して載置支持されている。
図６及び図８に示すように、ガスグリルバーナ２は、上部加熱用バーナ２Ｕ及び下部加熱用バーナ２Ｓであり、その詳細は後述する。
【００４９】
ガスコンロ本体Ｈの前面部には、３つのコンロバーナ１の夫々に対応させて３つコンロ用操作具７が設けられ、また、３つのコンロバーナ１に対応させてコンロ用設定部ＳＣが設けられている。
さらに、ガスグリルバーナ２に対応させてガスグリル用操作部ＳＧが設けられている。
【００５０】
そして、コンロ用操作具７によって、コンロバーナ１に対する点火及び消火の操作並びに火力調節操作を行い、コンロ用設定部ＳＣによって湯沸し運転等の自動調理運転の設定を行うように構成されている。
また、ガスグリル用操作部ＳＧによって、ガスグリルバーナ２に対する点火や消火の操作及び火力調節操作を行い、加えて、魚焼き等の自動調理運転の設定を行うように構成されている。
【００５１】
（ガスグリルの全体構成）
ガスグリルＧには、図２〜図６に示すように、上壁８Ｕ、底壁８Ｄ、左右の横側壁８Ｓ、及び、後壁８Ｒを備える横倒れ姿勢の有底筒状のグリル筐体８が設けられている。
そして、グリル筐体８の内部に、図３、図６〜図８に示すように、底部、左右両横側部、前部及び後部が壁状体Ａにて囲まれ且つ上部に熱気導入用開口Ｄが形成された焙焼室Ｂが設けられている。
【００５２】
本実施形態においては、焙焼室Ｂの上部における熱気導入用開口Ｄの形成箇所以外の部分も、壁状体Ａにて覆われている。
つまり、壁状体Ａが、焙焼室Ｂの底部を囲う底部壁９Ｄ、焙焼室Ｂの左右両横側部を囲う横側部壁９Ｓ及び焙焼室Ｂの上部を囲う上部壁９Ｕを備える角筒状の筒状体９と、焙焼室Ｂの後部を囲うグリル筐体８の後壁８Ｒと、焙焼室Ｂの前部を囲う、換言すれば閉じる扉１０とから構成されている。
【００５３】
説明を加えると、図６及び図８に示すように、筒状体９が、グリル筐体８の内部に、筒状体９の外面とグリル筐体８の内面との間に隙間を形成する状態で配置されている。
そして、図３に示すように、筒状体９の後端がグリル筐体８の後壁８Ｒに密着する状態に接続され、図３及び図７に示すように、筒状体９の前端とグリル筐体８の前端との間に接続される前壁１１が設けられている。
【００５４】
図５及び図７に示すように、焙焼室Ｂの内部には、調理物を載置する調理物載置体１２が設けられ、焙焼室Ｂの後部、つまり、グリル筐体８の後壁８Ｒには、焙焼室Ｂに供給された熱気を排気する排気口Ｆが形成されている。
排気口Ｆが、焙焼室Ｂの後部、つまり、グリル筐体８の後壁８Ｒにおける調理物載置体１２よりも上方側部分に形成されている（図３及び図５参照）。
グリル筐体８の後壁８Ｒには、排気口Ｆから排出される熱気をグリル排気口４に案内する排気筒１３が、上方側に延びる姿勢で接続されている。
【００５５】
調理物載置体１２が、焙焼室Ｂの内部を上下に仕切る通気不能な板状体として構成されている。尚、調理物載置体１２は、アルミニウム製である。
また、調理物載置体１２の周縁に、上方に立ち上がる堰部１２ａが形成され、さらに、調理物載置体１２の上面には、横幅方向に沿う突起帯１２ｂが、前後幅方向に間隔を隔てて形成されている（図３及び図４参照）。
【００５６】
図６〜図８に示すように、焙焼室Ｂの左右両横側部の夫々、つまり、筒状体９の左右の横側部壁９Ｓの夫々に、当該焙焼室Ｂの内方に向けて突出する突出部９ｔが、前後方向に延びる形態で設けられ、調理物載置体１２が、左右の端部を突出部９ｔに密着させる形態で、突出部９ｔに載置されている。ちなみに、本実施形態においては、調理物載置体１２の左右の端部における底部分が突出部９ｔに載置されている。
【００５７】
また、図３に示すように、調理物載置体１２が、後端縁部を焙焼室Ｂの後部を形成するグリル筐体８の後壁８Ｒに接当させる形態で配置され、さらに、焙焼室Ｂの前部を閉じる扉１０の後面と調理物載置体１２の前縁部とが、上下方向の通気を規制した状態に接続されている。
ちなみに、扉１０は、筒状体９の前端とグリル筐体８の前端との間に接続される上述の前壁１１に密接する状態で配設され、また、扉１０には開閉操作用の把手１０ａが設けられている。
【００５８】
したがって、焙焼室Ｂの内部空間が、調理物載置体１２の上方側の上方側空間と調理物載置体１２の下方側の下方側空間とに、調理物載置体１２にて仕切られるように構成されている。
また、調理物載置体１２が、扉１０を前後方向に移動操作することにより、突出部９ｔにて案内されながら焙焼室Ｂに対して出退されるように構成されている。
つまり、扉１０を上述した前壁１１に密着させる閉じ位置と前壁１１から離間させる開き位置に前後移動操作するに伴って、調理物載置体１２が焙焼室Ｂに対して出退されるように構成されている。
【００５９】
ちなみに、調理物載置体１２が突出部９ｔに載置されるだけでは、扉１０の重み等によって、一体状態に接続された扉１０と調理物載置体１２が下方側に傾斜する状態に傾くことになるから、図示は省略するが、調理物載置体１２の横側部の端部の上縁を上方側から受止める受止体を、前後方向に伸びる形態で、焙焼室Ｂの横側部に設けることになる。
【００６０】
尚、受止体を設けることに代えて、扉１０の下端部を前後方向にスライド移動自在に支持するレール機構を、グリル筐体８と筒状体９との間の空間に配置させるようにしてもよい。この場合、扉１０と調理物載置体１２とを、扉１０に対して調理物載置体１２が上下移動できるように接続して、調理物載置体１２の左右の縁部を突出部９ｔに密着させるようにすることになる。
【００６１】
（ガスグリルの加熱構成）
図６〜図８に示すように、焙焼室Ｂの横外側部に上下方向に向かう状態で形成され且つ熱気導入用開口Ｄに連通する側部熱気通路Ｔｓが設けられている。
つまり、側部熱気通路Ｔｓが、グリル筐体８の横側壁８Ｓと筒状体９の横側部壁９Ｓとの間の空間として形成されている。
そして、上部加熱用バーナ２Ｕが、上方に向けて火炎を吹き出して燃焼することにより上方に向かう熱気を側部熱気通路Ｔｓに供給する状態で、前記側部熱気通路の下部に設けられている。
【００６２】
下部加熱用バーナ２Ｓが、焙焼室Ｂの横外側部から調理物載置体１２の下方に向けて水平方向に沿う火炎を吹き出して燃焼するように構成されている。
つまり、下部加熱用バーナ２Ｓが、筒状体９の横側部壁９Ｓの外方側に配設され、そして、筒状体９の横側部壁９Ｓに、下部加熱用バーナ２Ｓの火炎を通過させる火炎通過孔１４が形成されて、下部加熱用バーナ２Ｓの火炎が、火炎通過孔１４から調理物載置体１２の下方に向けて水平方向に沿って吹き出されるように構成されている。
【００６３】
上部加熱用バーナ２Ｕは、焙焼室Ｂの前後幅方向に沿う棒状の筒体の上部に、炎孔を筒状体の長手方向に間隔を隔てて形成する形態に構成され、図示は省略するが、筒状体の端部には、上バーナ用混合管部が接続されている。
従って、上部加熱用バーナ２Ｕは、燃料ガスが上バーナ用混合管部の端部に噴出供給される際に、一次空気がエジェクタ作用によって上バーナ用混合管部の内部に供給されることにより、一次空気と燃料ガスとの混合ガスを生成して、その混合ガスを棒状の筒体の炎孔から噴出させながら一次燃焼させ、かつ、グリル筐体８の横側壁８Ｓに形成した第１空気孔１５から取り入れられた外気を二次空気として用いながら、混合ガスを二次燃焼させる、いわゆるブンゼン式バーナとして構成されている。
【００６４】
下部加熱用バーナ２Ｓは、焙焼室Ｂの前後幅方向に沿う棒状の筒体の横側部に、炎孔を筒状体の長手方向に間隔を隔てて形成する形態に構成され、図示は省略するが、筒状体の端部には、下バーナ用混合管部が接続されている。
従って、上部加熱用バーナ２Ｕと同様に、下部加熱用バーナ２Ｓは、燃料ガスが下バーナ用混合管部の端部に噴出供給される際に、一次空気がエジェクタ作用によって下バーナ用混合管部の内部に供給されることにより、一次空気と燃料ガスとの混合ガスを生成して、その混合ガスを棒状の筒体の炎孔から噴出させながら一次燃焼させ、かつ、グリル筐体８の横側壁８Ｓに形成した第２空気孔１６から取り入れられた外気を二次空気として用いながら、混合ガスを二次燃焼させる、いわゆるブンゼン式バーナとして構成されている。
【００６５】
そして、本実施形態においては、下部加熱用バーナ２Ｓが、焙焼室Ｂの左右の横外側部のうちの一方側に設けられ、焙焼室Ｂの左右両横側部のうちの、下部加熱用バーナ２Ｓが配置される側とは反対側の横側部、つまり、筒状体９の左右に横側部壁９Ｓのうちの、下部加熱用バーナ２Ｓが配置される側とは反対側の横側部壁９Ｓに、下部加熱用バーナ２Ｓの火炎による熱気を上部加熱用バーナ２Ｕの設置箇所に流動させる熱気流入孔１７が形成されている。
【００６６】
また、本実施形態においては、側部熱気通路Ｔｓが、焙焼室Ｂの左右両横側部のうちの、下部加熱用バーナ２Ｓが配置される側とは反対側の横側部の外方側箇所に設けられている。
そして、焙焼室Ｂの上部に、当該焙焼室Ｂの横幅方向に沿う上部熱気通路Ｔｕが側部熱気通路Ｔｓの上端と連通しかつ焙焼室Ｂの内部とは区画される形態で設けられ、熱気導入用開口Ｄが、焙焼室Ｂの上部における下部加熱用バーナ２Ｓが配置される側の横一側箇所に、上部熱気通路Ｔｕと連通する形態で形成されている。
【００６７】
説明を加えると、上部熱気通路Ｔｕが、グリル筐体８の上壁８Ｕと筒状体９の上部壁９Ｕとの間の空間として形成され、熱気導入用開口Ｄが、筒状体９の上部壁９Ｕと横側部壁９Ｓとの接続部に相当する箇所に形成されている。
尚、熱気導入用開口Ｄを形成する箇所は、筒状体９の上部壁９Ｕと横側部壁９Ｓとの接続部に相当する箇所よりも、上部壁９Ｕの存在側に寄った箇所や横側部壁９Ｓの存在側に寄った箇所に形成してもよい。
【００６８】
また、排気口Ｆが、焙焼室Ｂの後部としてのグリル筐体８の後壁８Ｒにおける調理物載置体１２よりも上方側部分で且つ下部加熱用バーナ２Ｓが配置される側とは反対側の横一側箇所に形成されている。
【００６９】
（実施形態のまとめ）
本実施形態によれば、通気不能な板状体として構成された調理物載置体１２にて、焙焼室Ｂの内部が調理物載置体１２の上方側空間と下方側空間とに仕切られているから、熱気導入用開口Ｄから調理物載置体１２の上方側空間に流動した上部加熱用バーナ２Ｕの熱気が、調理物載置体１２の下方側空間に流動することや、下部加熱用バーナ２Ｓにて調理物載置体１２の下方側の空間に供給された熱気が調理物載置体１２の上方側空間に流動することを抑制して、上部加熱用バーナ２Ｕの熱気と下部加熱用バーナ２Ｓの熱気とが互いに干渉することを回避するため、熱気導入用開口Ｄから調理物載置体１２の上方側空間に流動した熱気にて調理物載置体１２の上面側を加熱することや、下部加熱用バーナ２Ｓの熱気にて調理物載置体１２の下面側を加熱することを適切に行うことができる。
【００７０】
また、側部熱気通路Ｔｓを流動する熱気のドラフト力にて、上部加熱用バーナ２Ｕの設置箇所が負圧になるため、焙焼室Ｂの左右の横外側部のうちの一方側に設けられた下部加熱用バーナ２Ｓの火炎による熱気が、熱気流入孔１７を通して、上部加熱用バーナ２Ｕの設置箇所に流動することになる。
【００７１】
その結果、下部加熱用バーナ２Ｓの火炎が、熱気流入孔１７に向かって伸びるように形成されるものとなるため、下部加熱用バーナ２Ｓの火炎の熱気により、調理物載置体１２の横幅方向の全体を良好に加熱し易いものとなり、調理物の下面に焼きムラが発生することを抑制できる。
【００７２】
しかも、排気口Ｆが、焙焼室Ｂの後部における調理物載置体１２よりも上方側部分に形成されているから、下部加熱用バーナ２Ｓの熱気を、側部熱気通路Ｔｓに適切に流動させて、下部加熱用バーナ２Ｓの熱気を利用した加熱を良好に行えるものとなる。
【００７３】
また、焙焼室Ｂの左右両横側部のうちの、下部加熱用バーナ２Ｓが配置される側とは反対側の横側部の外方側箇所に位置させる形態で、単一の側部熱気通路Ｔｓを備えるものであるから、単一の上部加熱用バーナ２Ｕを備えるものとなるため、構成の一層の簡素化を図ることができる。
【００７４】
また、単一の側部熱気通路Ｔｓを備えるものであるが、上部熱気通路Ｔｕを備え、しかも、熱気導入用開口Ｄが、焙焼室Ｂの横幅方向において側部熱気通路Ｔｓが位置する側とは反対側となる下部加熱用バーナ２Ｓが配置される側の横一側箇所に形成されるから、焙焼室Ｂの内部における調理物載置体１２の上方側空間の温度分布の均一化を進めて、調理物載置体１２の上面側を良好に加熱し易いものとなる。
【００７５】
さらに、排気口Ｆを、焙焼室Ｂの後部における調理物載置体１２よりも上方側部分で且つ下部加熱用バーナ２Ｓが配置される側とは反対側の横一側箇所に形成して、焙焼室Ｂの横幅方向において下部加熱用バーナ２Ｓが配置される側の横一側箇所に形成される熱気導入用開口Ｄから導入される熱気が、焙焼室Ｂの内部における調理物載置体１２の上方側空間を、焙焼室Ｂの横幅方向に沿って横断しながら流動するものとなるから、熱気導入用開口Ｄから導入される熱気にて、調理物載置体１２の上面側を一層良好に加熱できる。
【００７６】
〔別実施形態〕
次に、別実施形態を列記する。
（イ）上記実施形態では、焙焼室Ｂの左右両横側部のうちの、下部加熱用バーナ２Ｓが配置される側とは反対側の横側部の外方側箇所に、単一の側部熱気通路Ｔｓを備える場合を例示したが、焙焼室Ｂの左右両横側部の外方箇所に、一対の側部熱気通路Ｔｓを設ける形態で実施してもよい。
この場合には、焙焼室Ｂの上部の全体を熱気導入用開口Ｄとして開口し、一対の側部熱気通路Ｔｓからの熱気を、熱気導入用開口Ｄを通して焙焼室Ｂの内部に導入するように構成するとよい。
【００７７】
（ロ）上記実施形態では、グリル筐体８の内部に筒状体９を配設して、焙焼室Ｂを形成する場合を例示したが、焙焼室Ｂを形成する具体構成は、各種変更できるものである。
【００７８】
（ハ）上記実施形態では、排気口Ｆが、焙焼室Ｂの後部における調理物載置体１２よりも上方側部分で且つ下部加熱用バーナ２Ｓが配置される側とは反対側の横一側箇所に形成される場合を例示したが、排気口Ｆを、焙焼室Ｂの後部における調理物載置体１２よりも上方側部分で且つ焙焼室Ｂの横幅方向の中央側に形成する等、排気口Ｆの形成形態は種々変更できる。
【００７９】
（ニ）上記実施形態では、焙焼室の左右両横側部のうちの、下部加熱用バーナ２Ｓが配置される側とは反対側の横側部に、下部加熱用バーナ２Ｓの火炎による熱気を上部加熱用バーナ２Ｕの設置箇所に流動させる熱気流入孔１７が形成される場合を例示したが、熱気流入孔１７を形成しないで、下部加熱用バーナ２Ｓの熱気を調理物載置体１２の下面に向けて流動させる形態で実施してもよい。
【００８０】
この場合には、排気口Ｆを、焙焼室Ｂの後部に、調理物載置体１２の上方側と下方側とに亘る状態で形成するとよい。
【００８１】
（ホ）上記実施形態では、ガスグリルＧが、ガスコンロに装備される場合を例示したが、本発明のガスグリルＧは、ガスグリル専用機を構成する場合にも適用できるものである。
【符号の説明】
【００８２】
２Ｓ    下部加熱用バーナ
２Ｕ    上部加熱用バーナ
９ｔ    突出部
１２    調理物載置体
１２ａ  堰部
１７    熱気流入孔
Ｂ      焙焼室
Ｄ      熱気導入用開口
Ｆ      排気口
Ｔｓ    側部熱気通路
Ｔｕ    上部熱気通路
【図１】
0006719221.tif 000002
【図２】
0006719221.tif 000003
【図３】
0006719221.tif 000004
【図４】
0006719221.tif 000005
【図５】
0006719221.tif 000006
【図６】
0006719221.tif 000007
【図７】
0006719221.tif 000008
【図８】
0006719221.tif 000009